(57)【要約】      （修正有）【課題】ポップアップ付箋名刺ケースを提供する。【解決手段】名刺サイズの薄型ケース１で、平らな底板１０、二長側辺をそれぞれ対向して折り曲げた延伸部１０１、二短側辺にサイド開口部１０２、二延伸部の上方に長開口部１０３、二長側辺の曲がり角にそれぞれ長溝１０４を設けてなる。平らな底板と二延伸部との間は収納スペースが設けられ、その中に設置された仕切板２によって、収納スペースは、上下の二収納スペースに仕切られるようになる。仕切板の上方にある上収納スペース２０には、間隔を置いて並んでいる各種のポップアップ付箋セットを、仕切板の下方にある下収納スペース２１には、複数枚の名刺を収納するように設けられている。付箋の交換は、仕切板をサイド開口部から引き出しただけで、付箋の交換、補充を行えるようになる。使用の時、ポケットに入れ、持ち歩き可能で、いつでも使用できる。【選択図】図２
0003189597.tif 000002
【実用新案登録請求の範囲】
【請求項１】
薄型で、名刺サイズの薄型ケースで、該薄型ケースは、平らな底板、二長側辺をそれぞれ対向して折り曲げた延伸部、二短側辺にサイド開口部、該二延伸部の上方に長開口部、二長側辺の曲がり角にそれぞれ長溝を設けてなり、該平らな底板と二延伸部との間は収納スペースに設けられ、その中に設置された仕切板によって、該収納スペースは、上下の二収納スペースに仕切られるようになり、該仕切板の上方にある収納スペースには、間隔を置いて並んでいる各種のポップアップ付箋セットを、該仕切板の下方にある収納スペースには、複数枚の名刺を収納するように設けられていることを特徴とするポップアップ付箋名刺ケース。
【請求項２】
薄型ケースは、透明プラスチックケースであることを特徴とする請求項１に記載のポップアップ付箋名刺ケース。
【請求項３】
該仕切板の両側を、該薄型ケースの二長側辺にある該長溝内にぴったりと入り込ませるようにしてから、二短側辺の該サイド開口部から、該収納スペースへと移動させるように押し込むことを特徴とする請求項１に記載のポップアップ付箋名刺ケース。
【請求項４】
各種のポップアップ付箋セットにあっては、各種のポップアップ付箋セットをそれぞれ、一番上の一枚目のポップアップ付箋を該長開口部から露出させるように設けられていることを特徴とする請求項１に記載のポップアップ付箋名刺ケース。
【請求項５】
ポップアップ付箋セットではどの種類も、各枚のポップアップ付箋は透明または半透明のフィルムで、任意な幾何形に設けられてなり、該フィルムの片面は、各種の蛍光色で塗布された着色層で、他面は粘着層に設けられており、そして、該着色層の位置を互い違いに、一定の長さまで重ねてなるように設けられていることを特徴とする請求項１に記載のポップアップ付箋名刺ケース。
【請求項６】
各種のポップアップ付箋セットを該仕切板の上に並べ、貼り付けられるようになっており、その中、一セット以上の細長型ポップアップ付箋セット、そして両端の形状により、矢印型、尖った錐形型のポップアップ付箋セットタイプがあり、該フィルムの有する該着色層と該粘着層の範囲は同じで、かつ互いに対応し、最後の一枚を、粘着層のある面を、該仕切板に貼り付けるように設けられていることを特徴とする請求項５に記載のポップアップ付箋名刺ケース。
【請求項７】
各種のポップアップ付箋セットを、間隔を開けて、該仕切板の上に並べている幅広いしおり型ポップアップ付箋セットがあり、各枚のポップアップ付箋において、当該フィルムの一端は、該フィルム全体の長さの約１／３を占める平らな端縁の着色層で、両側に彎曲縁を有してなり、フィルムの他端は、残りの２／３の長さを占める平らな端縁の無着色層であり、該粘着層は、該フィルムの無着色層で平らな端縁の他面に設置、それによって、該着色層の位置を互い違いに、一定の高さまで重ねてなるしおり型ポップアップ付箋セットことを特徴とする請求項５に記載のポップアップ付箋名刺ケース。
【考案の詳細な説明】
【技術分野】
【０００１】
本考案は付箋ケースの改良に関わり、特に、名刺サイズの薄型ケースで、その中を仕切板で、多様なタイプのポップアップ付箋セットと名刺を入れるように仕切り、ポケットに入れて持ち歩き、または机に置いて、簡単に引き出して使えるように設けられている、名刺とポップアップ付箋を収納できるポップアップ付箋名刺ケースに関する。
【背景技術】
【０００２】
一般的な粘着付箋紙・メモは、弱粘着性のある部分を、書き込み可能な材料の紙に付けてなり、メモ書き、いつでも書き込み、貼り付けが可能という利便性があるほかに、作業やマーク付けの表示機能を有し、一般的に、異なるいろいろな種類や色で、作業の補助として使用されている、簡単な包装でなる粘着付箋紙・メモセットであり、外観はおおよそ、長い板状、正方形や長方形で、大小なりの形をしており、文書作業に利便性のよいものとして使用されるが、マーク印を付ける必要がある場合、方向性を示す矢印の機能がなく、なかなか十分な機能を発揮することができず、マークを付ける必要がある付箋機能を求められたことに関して、それを改善する必要がある。
【０００３】
書籍の読者はよく、ブックマークやしおりを、読みかけの本に挟んで、次に読む際の印として利用しているが、一般的に使用される付箋では、粘着層は、紙全体の面積の約１／４か１／５だけを占めており、どっちが粘着層なのか分かりにくいから、まず試しに貼り付けてみたら、粘着層のあるほうが確認できるようになり、そこで、どっちが粘着層なのか、どっちが無粘着層なのか識別しにくく、使用の時、よく迷ったりすること、それに、一般的な付箋紙・メモは設計不足で、本のページの端に貼り付けたら抜けないとういことを保証できないため、しおり、ページ分割機能、索引表示などとして使用できない。
【考案の開示】
【考案が解決しようとする課題】
【０００４】
本考案は薄型ケースで、机に置いて、メモ書き、しおり、ページ分割機能、索引表示として利用できるほかに、軽量でコンパクトな携帯用ケースに設計され、そして、名刺収納可能なスペースを備えてなり、持ち歩き可能で、いつでも使用できる、ポップアップ付箋名刺ケースを提供することを目的とする。
【課題を解決するための手段】
【０００５】
上述した目的を達成させるために、本考案はポップアップ付箋名刺ケースを提供し、名刺サイズの薄型ケースで、該薄型ケースは、平らな底板、二長側辺をそれぞれ対向して折り曲げた延伸部、二短側辺にサイド開口部、該二延伸部の上方に長開口部、二長側辺の曲がり角にそれぞれ長溝を設けてなり、該平らな底板と二延伸部との間は収納スペースに設けられ、その中に設置された仕切板によって、該収納スペースは、上下の二収納スペースに仕切られるようになり、該仕切板の上方にある収納スペースには、間隔を置いて並んでいる各種のポップアップ付箋セットを、該仕切板の下方にある収納スペースには、複数枚の名刺を収納するように設けられており、付箋の交換は、該仕切板をサイド開口部から引き出しただけで、付箋の交換、補充を行えるようになり、使用の時、その中に入っている名刺、しおりなどを共に、身につけているポケットに入れ、持ち歩き可能で、いつでも取り出して使用できることを特徴としている。
【０００６】
該仕切板の上にある各種のポップアップ付箋を、一番上の一枚目のポップアップ付箋を該長開口部から露出させるように設けられていることを特徴としている。
【０００７】
該仕切板の両側を、該薄型ケースの二長側辺にある該長溝内にぴったりと入り込ませるようにしてから、二短側辺の該サイド開口部から、該収納スペースへと移動させるように押し込むことを特徴としている。
【０００８】
該薄型ケースには、使用者の求める機能により、各種のポップアップ付箋セットを入れることができるが、その中、書類や本などの対象物に貼り付け、表示、メモ書き、位置表示または矢印の方向表示として使用される矢印型、尖った錐形型ポップアップ付箋セット、メモ書きとして使用される幅広ポップアップ付箋セット、細長い細長型ポップアップ付箋セット、及びページの縁に貼り付け、ページ分割機能、索引表示として使用されるしおり型ポップアップ付箋セットが含まれており、各種のポップアップ付箋は幅の大きさにより組合せ、該仕切板の上に貼り付け、組み合わせたあと、使用者が用途に応じて、それを選んで引き出すことになっている。
【０００９】
該各種のポップアップ付箋セットにあっては、各枚のポップアップ付箋は、蛍光塗布の着色層を有するフィルムを備えることができ、蛍光色で顕著に目立ち、表示効果がよいことを特徴としている。
【図面の簡単な説明】
【００１０】
【図１】本考案のポップアップ付箋名刺ケースと仕切板との分解イメージ。
【図２】本考案のポップアップ付箋名刺ケースの組立イメージ。
【図３】本考案の矢印型ポップアップ付箋セットの分解イメージ。
【図４】図３の矢印型ポップアップ付箋セット、名刺と付箋名刺ケースとのイメージ。
【図５】本考案のしおり型ポップアップ付箋セットの分解イメージ。
【図６】本考案のしおり型、矢印型ポップアップ付箋セット、名刺と付箋名刺ケースとのイメージ。
【図７】本考案のしおり型、矢印型ポップアップ付箋セット、名刺と付箋名刺ケースとの組合せイメージ。
【図８】本考案の細長型ポップアップ付箋セット、名刺と付箋名刺ケースとのイメージ。
【図９】本考案の細長型、幅広角型ポップアップ付箋セット、名刺と付箋名刺ケースとの組合せイメージ。
【図１０】本考案の矢印型、幅広角型ポップアップ付箋セット、名刺と付箋名刺ケースとの組合せイメージ。
【図１１】本考案の付箋名刺ケースから名刺を取り出したときのイメージ。
【図１２】本考案の各種のポップアップ付箋セットを、本のページに使用した場合のイメージ。
【考案を実施するための形態】
【００１１】
本考案はポップアップ付箋ケースの改良に関し、図１、図２は、本考案のポップアップ付箋名刺ケースの分解イメージ、図３〜図９は、本考案の各種のポップアップ付箋セット（３）での三タイプに関するイメージ。本考案の該ポップアップ付箋名刺ケースは名刺サイズの薄型ケースであり、該薄型ケース（１）は、矩形の透明プラスチックケースで、平らな底板（１０）、二長側辺をそれぞれ折り曲げた延伸部（１０１）、二短側辺にサイド開口部（１０２）、該二延伸部（１０１）に長側面の上方に長開口部（１０３）、下方の二長側辺の曲がり角に長溝（１０４）を設けてなり、該平らな底板（１０）と二延伸部（１０１）との間は、収納スペースに設けられ、そして、仕切板（２）が二長側辺の該長溝（１０４）を横切り、該収納スペースを、上収納スペース（２０）と下収納スペース（２１）に仕切るように設けられ、該仕切板（２）の上方と二延伸部（１０１）との間は該上収納スペース（２０）で、該仕切板（２）の下方と平らな底板（１０）との間は該下収納スペース（２１）であり、該上収納スペース（２０）は下収納スペース（２１）より大きく設けられ、該仕切板（２）の上に貼ってある各種のポップアップ付箋セット（３）を収納、下収納スペース（２１）内に複数枚の名刺（４）を収納できるように設けられている。
【００１２】
組立ての時、該仕切板（２）の両側を、該薄型ケース（１）の二長側辺にある該長溝（１０４）内にぴったりと入り込ませるようにしてから、二短側辺の該サイド開口部（１０２）から、該収納スペースへ移動させるように押し込むが、該仕切板（２の上に、間隔を置いて並んでいる各種のポップアップ付箋セット（３）が貼ってあり、該仕切板（２）の下に複数枚の名刺（４）が入っており、該仕切板（２）の上にある各種のポップアップ付箋セット（３）にあっては、各種のポップアップ付箋セット（３）をそれぞれ、一番上の一枚目のポップアップ付箋を、該長開口部（１０３）から露出させるように設けられており、ポップアップ付箋が使い切って、新しい物を補充、またはその交換を行うとき、該仕切板（２）をサイド開口部（１０２）から引き出しただけで、交換や補充が行われる。
【００１３】
本考案のポップアップ付箋は、目立ちやすく、顕著な表示効果を持つ蛍光着色層を使用してなり、該ポップアップ付箋セット（３）はどの種類も、複数枚のポップアップ付箋を一定の高さまで重ねてなり、各枚のポップアップ付箋は、透明または半透明のフィルム  （３０）で、任意な幾何形に設けられてなり、該フィルム（３０）の片面は、各種蛍光色で塗布された着色層（３１）で、他面は粘着層（３２）に設けられている。
【００１４】
図３（ａ）に示すように、方向表示として使用されるポップアップ付箋セット（３）は細長く、該フィルム（３）の両端がそれぞれ、矢印形（３３）をしている矢印型ポップアップ付箋セット（３）であり、該フィルム（３０）は透明または半透明タイプで、該着色層  （３１）と該粘着層（３２）の範囲は同じで、かつ互いに対応し、その面積はフィルム（３０）全体の長さの約２／３を占め、残りの約１／３の長さは無着色層と無粘着層となっており、該粘着層（３２）の位置を互い違いに、一定の高さまで重ねてなる矢印型ポップアップ付箋セット（３）であり、図３（ｂ）に示すように、その組合せは、該仕切板（２）の上に複数の矢印型ポップアップ付箋セット（３）を並べ、それから、該薄型ケース（１）と複数枚の名刺  （４）を組み合わせてから、図４のように組合せ完成、該矢印型ポップアップ付箋セット（３）は、矢印形（３３）を尖った錐形のものに変更しても、その組合せ、構造は、矢印型ポップアップ付箋セット（３）のと同様である。
【００１５】
図５〜図７に示すように、本考案の各種のポップアップ付箋セット（３）は該仕切板（２）上に、間隔を開けて、幅広いしおり型ポップアップ付箋セットを並べてなり、該フィルム（３０）の両端が規則または不規則な縁部に設けられてもよいしおり型ポップアップ付箋セット（３）であり、図５（ａ）に示すように、本考案の幅広い該フィルム（３０）は透明または半透明タイプで、各枚のポップアップ付箋において、該フィルム（３０）の一端は、全体の長さの約１／３を占める平らな端縁（３４）の着色層（３１）で、両側に彎曲縁（３４０）を有してなり、該フィルム（３０）の他端は、残りの２／３の長さを占める平らな端縁（３４）の無着色層であり、該粘着層（３２）は該フィルム（３０）の無着色層で、平らな端縁（３４）の他面に設置、該粘着層（３２）の位置を互い違いに、一定の高さまで重ねてなるしおり型ポップアップ付箋セットであり、図５（ｂ）に示すように、その組合せは図６の見られた該仕切板  （２）の上に、幅広いしおり型ポップアップ付箋セットと複数の矢印型ポップアップ付箋セットを含み、ポップアップ付箋セット  （３）を並べ、それから、該薄型ケース（１）と複数の名刺（４）を並べてから、図７のように組合せ完成。
【００１６】
図８〜図１０に示すのは、もう一つの細長型ポップアップ付箋セットであり、細長く、該フィルム（３０）は、両端がそれぞれ平らな端縁となっており、該着色層（３１）は全体の長さを占め、他面の粘着層（３２）は該フィルムの１／２の長さを占め、該粘着層（３２）の位置を互い違いに、一定の高さまで重ねてなる細長型ポップアップ付箋セットであり、その組合せは、上述したのと同じく、該仕切板（２）上に幅広角型と複数の細長型ポップアップ付箋セットを並べ、それから、該薄型ケース（１）と複数の名刺（４）を並べてから、図９のように組合せ完成、複数の細長型ポップアップ付箋セットは図１０のように、複数の矢印型ポップアップ付箋セットに変更してもよい。
【００１７】
上述したような一連の各種のポップアップ付箋セット（３）では、ポップアップ付箋セット（３）はどの種類も、複数のフィルム（３０）を使用し、その一枚のフィルム（３０）をベースとして、もう一枚のフィルム（３０）の着色層（３１）とベースであるフィルム（３０）の着色層（３１）を互い違いに重ねてなり、そのように、各枚のフィルム（３０）の着色層（３１）の位置を互い違いにしており、該粘着層（３２）の位置も互い違いになり、使用の時、指で、無粘着層（３２）の一端を引き出すと、粘着層（３２）による粘着性によって、次のフィルム（３０）が引き出されるようになり、それで連続して引き出して使用できるようになっている。
【００１８】
図１１に示すのは、本考案の名刺を引き出したときのイメージであり、名刺（４）を引き出すのは、一般的な名刺ケースの取出し方と同じで、まず、該仕切板（２）を軽く、いずれかの側の該サイド開口部（１０２）へと押し込んだら、指で、一枚の名刺（４）を取り出して使用できる。
【００１９】
図１２に示すのは、本考案のポップアップ付箋セットを本のページに貼り付けたときの使用イメージであり、ページ内に貼り付けたのは、方向表示用の矢印形（３３）をする矢印型ポップアップ付箋セットで、及び  ページの縁に貼り付けたのは、ページ分割機能、索引表示用の平らな端縁（３４）を有するしおり型ポップアップ付箋セットである。
【００２０】
上述した内容をまとめると、本考案のポップアップ付箋名刺ケースは薄型で、名刺サイズの透明プラスチックケースで、使用者の求める機能により、各種のポップアップ付箋セットを入れることができるが、その中、書類や本などの対象物に貼り付け、表示、メモ書き、位置表示または矢印の方向表示として使用される矢印型、尖った錐形型ポップアップ付箋セット、メモ書きとして使用される幅広ポップアップ付箋セット、細長い細長型ポップアップ付箋セット、及びページの縁に貼り付け、ページ分割機能、索引表示として使用されるしおり型ポップアップ付箋セットが含まれており、それに、複数枚の名刺を収納できる収納スペースが設置、各種のポップアップ付箋を幅の大きさより組合せ、該仕切板の上に貼り付け、組み合わせたあと、使用者が用途に応じて、それを選んで引き出すことになっており、本考案外の外観は名刺サイズの薄型ケースに設けられ、その中に入っている名刺を共に、服のポケットや鞄に入れ、いつでも持ち歩けること、底部が平らな面で、机に置き、文書作業などのとき、いつでも引き出して使用できることから、使用者の多様な使用ニーズを更に満たし、より柔軟に利用可能で、使用上の利便性がよりよい。  
【００２１】
ただし、上述した内容は、本考案の好適な実施例のみに用いられるもので、本説明書や図面に基づき、その構造の改造や変化を行い、それと同等な効果を得たものとして、すべて本考案の実用新案登録出願の範囲に含まれるものとすることを、ここで述べておく。
【符号の説明】
【００２２】
薄型ケース            （１）
仕切板                （２）
ポップアップ付箋セット（３）
名刺                  （４）
平らな底板            （１０）
上収納スペース        （２０）
下収納スペース        （２１）
フィルム              （３０）
着色層                （３１）
粘着層                （３２）
矢印部                （３３）
平らな端縁            （３４）
延伸部                （１０１）
サイド開口部          （１０２）
長開口部              （１０３）
長溝                  （１０４）
彎曲縁                （３４０）
【図１】
0003189597.tif 000003
【図２】
0003189597.tif 000004
【図３】
0003189597.tif 000005
【図４】
0003189597.tif 000006
【図５】
0003189597.tif 000007
【図６】
0003189597.tif 000008
【図７】
0003189597.tif 000009
【図８】
0003189597.tif 000010
【図９】
0003189597.tif 000011
【図１０】
0003189597.tif 000012
【図１１】
0003189597.tif 000013
【図１２】
0003189597.tif 000014